(57)【要約】【課題】従来からのテレビ電話装置では、撮像できる範囲が限られており、その対象は主に被写体の顔、あるいは、上半身である。また、同様に再生画面で表示できる範囲も限られており、主に顔画像などである。そのため、相手方は被写体の全身や、動作等を見ることはできない。【解決手段】本発明では、この課題を解決するために、被写体を実物大の映像として再生することができる再生部や、映像再生画面に配置され、広域に撮像が可能な撮像部を有する情報装置を提案する。これらの装置を備えた空間映像共有システムにおいては、相互に実物大の映像を再生し、視聴することが可能となるため、被写体の動作や、気配、雰囲気を感じることができ、より空間を共有することができる。【選択図】            図３
2004200929.tif 000002
【特許請求の範囲】
【請求項１】
第一撮像部から第一対象の第一映像情報を取得する第一映像情報取得部と、
前記第一映像情報取得部で取得した映像情報を送信する第一映像情報送信部と、
第二映像情報を受信する第一映像情報受信部と、
前記第一映像情報受信部で受信した第二映像情報を映像として再生する第一再生部と、
を有する第一の情報装置と、
第二撮像部から第二対象の第二映像情報を取得する第二映像情報取得部と、
前記第二映像情報取得部で取得した第二映像情報を送信する第二映像情報送信部と、
第一映像情報を受信する第二映像情報受信部と、
前記第二映像情報受信部で受信した第一映像情報を映像として再生する第二再生部と、
を有する第二の情報装置と、
からなる空間映像共有システムであって、
前記第一再生部は、前記第二対象を前記第二映像情報取得部に観察者がいると想定した場合に前記第二対象が観察される実物大の映像として再生し、
前記第二再生部は、前記第一対象を前記第一映像情報取得部に観察者がいると想定した場合に前記第一対象が観察される実物大の映像として再生する
空間映像共有システム。
【請求項２】
前記第一撮像部は、前記第一再生部の映像再生画面に配置され、
前記第二撮像部は、前記第二再生部の映像再生画面に配置される
請求項１に記載の空間映像共有システム。
【請求項３】
前記第一再生部の映像再生画面は、第二対象が居室内の人間である場合に、
居室内で活動している人間の全身を映すことが可能である請求項１又は、２に記載の空間映像共有システム。
【請求項４】
前記第二再生部の映像再生画面は、第一対象が居室内の人間である場合に、
居室内で活動している人間の全身を映すことが可能である請求項１又は、２に記載の空間映像共有システム。
【請求項５】
撮像部から対象の映像情報を取得する映像情報取得部と、
前記映像情報取得部で取得した映像情報を映像として再生する再生部と、
を有し、
前記再生部の映像再生画面は、映像再生画面自体が鏡であるかのように対象を再生することが可能である情報装置。
【発明の詳細な説明】
【０００１】
【発明の属する技術分野】
本発明は空間映像共有システムに関するものである。
【０００２】
【従来の技術】
従来から、テレビ電話装置として、遠隔地間で映像・音声を共有するシステムは存在する（特許文献１参照。）。
【０００３】
【特許文献１】
特開平７−３２７２１３号公報
【０００４】
【発明が解決しようとする課題】
しかし、テレビ電話装置の場合、装備されているカメラで撮像できるのは、所定の撮像範囲内に限定されていて、その対象は主に被写体の顔、あるいは、上半身である。また、同様に再生画面で表示できる範囲も限られており、主に顔画像などである。そのため、相手方は被写体の全身や、動作等を見ることはできない。
【０００５】
本件発明は、離れた二つの空間があたかも窓を介して隣接した空間であるかのように表示させることができるシステムを提供することを目的とするものである。
【０００６】
【課題を解決するための手段】
本発明では、この課題を解決するために、被写体を実物大の映像として再生することができる再生部や、映像再生画面に配置され、広域に撮像が可能な撮像部を有する情報装置を提案する。
【０００７】
これらの装置を備えた空間映像共有システムにおいては、相互に実物大の映像を再生し、視聴することが可能となるため、被写体の動作や、気配、雰囲気を感じることができ、より空間を共有することができる。
【０００８】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００９】
実施形態１は、主に請求項１などについて説明する。
【００１０】
実施形態２は、主に請求項２などについて説明する。
【００１１】
実施形態３は、主に請求項３、４などについて説明する。
【００１２】
実施形態４は、主に請求項５などについて説明する。
＜＜実施形態１＞＞
【００１３】
＜実施形態１：概要＞
【００１４】
実施形態１について説明する。本実施形態は、相互に映像情報を送受信し、空間を共有する空間映像共有システムである。
【００１５】
図１は、本実施形態の概念の一例を示すものである。図の左側は、第一の情報装置が設置された第一対象の住まいであり、右側は第二の情報装置が設置された第二対象の住まいである。第一対象の映像である第一映像情報は第二の情報装置へ送信さる。第二の情報装置は、その第一映像情報を受信し、再生を行う。これによって、第二対象は第一映像情報を視聴することができる。第二対象の映像である第二映像情報が第一の情報装置へ送信する場合も同様である。
【００１６】
このとき、再生した映像情報は、壁やドア等に設置した映像再生画面に表示し、あるいは、壁やドア自身を映像再生画面とすることを想定しており、従来のテレビ電話装置等に比べて表示する面積が大きい。そのため、被写体を実物大の映像として再生することが可能となる。このように相互に実物大の映像を再生し、視聴することが可能となるため、被写体の動作や、気配、雰囲気を感じることができ、より空間を共有することができる。
【００１７】
＜実施形態１：構成＞
【００１８】
本実施形態の空間映像共有システムは、第一の情報装置と、第二の情報装置により構成される。第一の情報装置と、第二の情報装置との相互で映像情報のやり取りが行われる。ここで両装置は、基本的に同一の機能を有する装置であるから、以下、図２に示す第一の情報装置についての機能ブロックを用いて詳述することにより、第一の情報装置と第二の情報装置の説明を兼ねる。
【００１９】
図２に示す本実施形態の「第一の情報装置」（０２１０）は、「第一撮像部」（０２１１）と、「第一映像情報取得部」（０２１２）と、「第一映像情報送信部」（０２１３）と、「第一映像情報受信部」（０２１４）と、「第一再生部」（０２１５）とからなる。
【００２０】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２１】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００２２】
「第一撮像部」（０２１１）は、第一対象を撮像する。「撮像」は、対象を撮影することをいい、例えば、カメラ等を用いて行われる。「第一対象」は、第一の情報装置によって撮像される対象であり、人物に限られない。
【００２３】
「第一映像情報取得部」（０２１２）は、第一撮像部（０２１１）から第一対象の第一映像情報を取得する。「第一映像情報」は、第一対象の映像（動画・静止画）に関する情報をいうが、ここでは映像情報に音声に関する情報を含む場合もある。
【００２４】
「第一映像情報送信部」（０２１３）は、前記第一映像情報取得部（０２１２）で取得した映像情報を送信する。送信した第一映像情報は、第二の情報装置にて受信され、再生が行われる。
【００２５】
「第一映像情報受信部」（０２１４）は、第二映像情報を受信する。第二対象の映像等に関する情報である第二映像情報は、第二の情報装置にから送信される。この第二映像情報を受信して、第一再生部（０２１５）へ渡す。
【００２６】
「第一再生部」（０２１５）は、前記第一映像情報受信部（０２１４）で受信した第二映像情報を映像として再生する。「再生」には、画面、スクリーン等への表示の他、音声の出力なども含まれる場合がある。
【００２７】
また、第一再生部（０２１５）は、前記第二対象を前記第二映像情報取得部に観察者がいると想定した場合に前記第二対象が観察される実物大の映像として再生する。第一の情報装置の利用者から見ると、第二対象があたかも、自分が撮像部にいるかのような大きさで観察できる。これにより、対象同士が離れていても、すぐ隣にいるような臨場感を感じることができる。
【００２８】
＜実施形態１：具体例＞
【００２９】
本実施形態の空間映像共有システムを機能ブロックに具体的な情報を与えながら説明する。
【００３０】
図３に示す本実施形態の「空間映像共有システム」（０３００）は、「第一の情報装置」（０３１０）と、「第二の情報装置」（０３２０）とからなる。さらに、「第一の情報装置」（０３１０）は、「第一撮像部」（０３１１）と、「第一映像情報取得部」（０３１２）と、「第一映像情報送信部」（０３１３）と、「第一映像情報受信部」（０３１４）と、「第一再生部」（０３１５）とからなる。同様に、「第二の情報装置」（０３２０）は、「第二撮像部」（０３２１）と、「第二映像情報取得部」（０３２２）と、「第二映像情報送信部」（０３２３）と、「第二映像情報受信部」（０３２４）と、「第二再生部」（０３２５）とからなる。
【００３１】
第一の情報装置（０３１０）の第一撮像部（０３１１）で撮像した第一対象の第一映像情報は、第一映像情報取得部（０３１２）と、第一映像情報送信部（０３１３）を経て、第二の情報装置（０３２０）の第二映像情報受信部（０３２４）にて受信される。その後、第二の情報装置の第二再生部（０３２５）にて再生されるのは、第一映像情報である。
【００３２】
逆に、第二の情報装置（０３２０）の第二撮像部（０３２１）で撮像した第二対象の第二映像情報は、第二映像情報取得部（０３２２）と、第二映像情報送信部（０３２３）を経て、第一の情報装置（０３１０）の第一映像情報受信部（０３１４）にて受信される。その後、第一の情報装置の第一再生部（０３１５）にて再生されるのは、第二映像情報である。
【００３３】
以上のように、第一の情報装置と、第二の情報装置とで、映像情報のやりとりを行うことで、対象の動作や、気配、雰囲気を交換し、より空間を共有することができる空間映像共有システムを実現する。
【００３４】
＜実施形態１：処理の流れ＞
【００３５】
図４は、実施形態１での処理の流れの一例を示したものである。本実施形態における空間共有方法は、以下に示すステップよりなる。
【００３６】
第一の情報装置においては、まず、第一対象の第一映像情報を取得する（第一映像情報取得ステップ  Ｓ０４１１）。
【００３７】
次に、第一映像情報取得ステップ（Ｓ０４１１）にて取得した映像情報を送信する（第一映像情報送信ステップ  Ｓ０４１２）。送信した第一映像情報は、第二の情報装置によって、受信される（Ｓ０４２３）。
【００３８】
第二映像情報を受信する（第一映像情報受信ステップ  Ｓ０４１３）。この第二映像情報は第二の情報装置から送信される（Ｓ０４２２）。
【００３９】
その後、第一映像情報受信ステップ（Ｓ０４１３）にて受信した第二映像情報を映像として再生する（第一再生ステップ  Ｓ０４１４）。
【００４０】
一方、第二の情報装置においては、まず、第二対象の第二映像情報を取得する（第二映像情報取得ステップ  Ｓ０４２１）。
【００４１】
次に、第二映像情報取得ステップ（Ｓ０４２１）にて取得した映像情報を送信する（第二映像情報送信ステップ  Ｓ０４２２）。送信した第二映像情報は、第一の情報装置によって、受信される（Ｓ０４１３）。
【００４２】
第一映像情報を受信する（第二映像情報受信ステップ  Ｓ０４２３）。この第一映像情報は第一の情報装置から送信される（Ｓ０４１２）。
【００４３】
その後、第二映像情報受信ステップ（Ｓ０４２３）にて受信した第一映像情報を映像として再生する（第二再生ステップ  Ｓ０４２４）。
【００４４】
以上の処理は、計算機に実行させるためのプログラムで実行することができ、また、このプログラムを計算機によって読み取り可能な記録媒体に記録することができる。（本明細書の全体を通して同様である。）
【００４５】
＜実施形態１：効果＞
【００４６】
本発明の空間映像共有システムを構成する情報装置は、対象を実物大の映像として再生し、視聴することが可能となるため、被写体の動作や、気配、雰囲気を、臨場感をもって伝えることができる。したがって、システム全体としては、この情報装置を備えることにより、遠隔地であっても空間を共有し、対象者同士がまるですぐ隣にいるように身近に感じることができるという効果を有する。
【００４７】
この空間映像共有システムを、遠隔地に住む親世帯と、その子世帯とを結ぶことに利用する場合には、居住場所が異なっても団欒生活を行うことが可能となり、また、高齢者の支援も容易になる。
【００４８】
あるいは、この空間映像共有システムの情報装置をキッチンに備えることにより、別の部屋にいる家族と会話をしながらの調理や、利用者同士での調理のアドバイス等も可能となり、便利である。
【００４９】
さらに、ペットを預かるサービス、医療相談、託児サービス、等様々な分野に応用し、コミュニケーションの一態様として活用することができる。
＜＜実施形態２＞＞
【００５０】
＜実施形態２：概要＞
【００５１】
実施形態２について説明する。本実施形態は、撮像部が、再生部の映像再生画面に配置されることに特徴を有する空間映像共有システムである。
【００５２】
＜実施形態２：構成＞
【００５３】
本実施形態の空間映像共有システムを構成する情報装置についての機能ブロックはすでに図２に示した通りである。「第一の情報装置」（０２１０）は、「第一撮像部」（０２１１）と、「第一映像情報取得部」（０２１２）と、「第一映像情報送信部」（０２１３）と、「第一映像情報受信部」（０２１４）と、「第一再生部」（０２１５）とからなる。
【００５４】
「第一撮像部」（０２１１）は、第一再生部（０２１５）の映像再生画面に配置される。例えば、ディスプレイと、カメラが一体化して配置される場合などが該当する（図５参照）。ディスプレイのセルと、ＣＣＤ素子とが一体化した場合、広範の撮像が可能となり、また、対象となる人物同士の視線が合致した状態での会話ができる。これは、第二の情報装置の第二撮像部についても同様である。
【００５５】
またこのとき、第一の情報装置と、第二の情報装置とが、そのディスプレイのサイズ、及び、再生座標が一致することが前提となる（図６参照）。つまり、第一対象が第一再生部の中央部に位置するＣＣＤ素子により撮像された場合、その映像は第二再生部の中央部に位置するセルに表示される。これにより、撮像された映像が再生される際に、その位置及び、大きさが、第一の情報装置と第二の情報装置で一致する。
【００５６】
その他の各部の処理は、実施形態１と同様である。
【００５７】
＜実施形態２：効果＞
【００５８】
本発明の空間映像共有システムを構成する情報装置は、撮像部が映像再生画面に配置されることで、広範の撮像が可能となることに加え、対象となる人物同士の視線が合致するため、違和感なく会話することができる。
＜＜実施形態３＞＞
【００５９】
＜実施形態３：概要＞
【００６０】
実施形態３について説明する。本実施形態は、映像再生画面が、対象が居室内の人間である場合に、居室内で活動している人間の全身を映すことが可能であることに特徴を有する空間映像共有システムである。
【００６１】
＜実施形態３：構成＞
【００６２】
本実施形態の空間映像共有システムを構成する情報装置についての機能ブロックはすでに図２に示した通りである。「第一の情報装置」（０２１０）は、「第一撮像部」（０２１１）と、「第一映像情報取得部」（０２１２）と、「第一映像情報送信部」（０２１３）と、「第一映像情報受信部」（０２１４）と、「第一再生部」（０２１５）とからなる。
【００６３】
第一再生部（０２１５）の映像再生画面は、第二対象が居室内の人間である場合に、居室内で活動している人間の全身を映すことが可能である。等身大の人間を映すためには、映像再生画面は、ある程度の大きさが必要となる。例えば、壁や、ドア等を映像再生画面として、用いるとしてもよい。これは、第二の情報装置の第二再生部についても同様である。
【００６４】
その他の各部の処理は、実施形態１と同様である。
【００６５】
＜実施形態３：効果＞
【００６６】
本発明の空間映像共有システムを構成する情報装置は、映像再生画面は、対象が居室内の人間である場合に、居室内で活動している人間の全身を映すことが可能であることで、広範に撮像された映像を、再生することができる。これにより、利用者は等身大の相手をより身近に感じることができる。
＜＜実施形態４＞＞
【００６７】
＜実施形態４：概要＞
【００６８】
実施形態４について説明する。本実施形態は、自分の全身を映すことが可能である情報装置である。
【００６９】
＜実施形態４：構成＞
【００７０】
本実施形態の情報装置についての機能ブロックの一例を図７に示す。
【００７１】
図７に示す「情報装置」（０７００）は、「撮像部」（０７０１）と、「映像情報取得部」（０７０２）と、「再生部」（０７０３）とからなる。
【００７２】
「撮像部」（０７０１）は、対象を撮像する。
【００７３】
「映像情報取得部」（０７０２）は、撮像部（０７０１）から対象の映像情報を取得する。取得した映像情報は、蓄積しておくことができることが望ましい。
【００７４】
「再生部」（０７０３）は、前記映像情報取得部（０７０２）で取得した映像情報を映像として再生する。このとき、映像再生画面は、映像再生画面自体が鏡であるかのように対象を再生することが可能である。ここでの映像再生画面も、図５で示したように、ディスプレイのセルと、ＣＣＤ素子とが一体化して配置されるとしてもよい。その場合、ＣＣＤ素子により撮像された映像は隣接等するセルに表示される。これにより、撮像された映像が再生される映像と、実物の対象とは、その位置及び、大きさがほぼ一致することとなるため、より実物に近いリアルな映像を視聴することができる。
【００７５】
＜実施形態４：効果＞
【００７６】
本実施形態の情報装置は、自身の全身の映像を再生して視聴することができるので、鏡の機能を有することとなる。また、撮像して取得した映像情報を蓄積しておいて、一定時間経過後に再生することができれば、例えば、試着室等にこの情報装置を設置した場合、前回試着した姿の映像と比較ができ、便利である。
【発明の効果】
本発明の空間映像共有システムを構成する情報装置は、対象を実物大の映像として再生し、視聴することが可能となるため、被写体の動作や、気配、雰囲気を、臨場感をもって伝えることができる。したがって、システム全体としては、この情報装置を備えることにより、遠隔地であっても空間を共有し、対象者同士がまるですぐ隣にいるように身近に感じることができるという効果を有する。
【図面の簡単な説明】
【図１】実施形態１を説明するための概念図
【図２】実施形態１を説明するための機能ブロック図
【図３】実施形態１を説明するための具体的情報を当てはめた機能ブロック図
【図４】実施形態１の処理の流れを説明する図
【図５】実施形態２の映像再生画面の具体的構造を示した図
【図６】実施形態２の映像再生画面の具体例を示した図
【図７】実施形態４を説明するための機能ブロック図
【符号の説明】
０３００    空間映像共有システム
０３１０    第一の情報装置
０３１１    第一撮像部
０３１２    第一映像情報取得部
０３１３    第一映像情報送信部
０３１４    第一映像情報受信部
０３１５    第一再生部
０３２０    第二の情報装置
０３２１    第二撮像部
０３２２    第二映像情報取得部
０３２３    第二映像情報送信部
０３２４    第二映像情報受信部
０３２５    第二再生部
【図１】
2004200929.tif 000003
【図２】
2004200929.tif 000004
【図３】
2004200929.tif 000005
【図４】
2004200929.tif 000006
【図５】
2004200929.tif 000007
【図６】
2004200929.tif 000008
【図７】
2004200929.tif 000009